(57)【特許請求の範囲】
【請求項１】
記録媒体上に画像を印刷する印刷手段と、
外部装置から通信回線を介して、複数頁の画像情報と、前記複数頁の画像情報の全ての印刷を直ぐには行わずに前記複数頁の画像情報の内の一部の頁の印刷を先に行う試し印刷要求信号とを含むジョブデータを受信する受信手段と、
前記試し印刷要求信号を含む前記ジョブデータを受信すると、前記複数頁の画像情報を格納する記憶手段と、
前記記憶手段に格納された前記複数頁の画像情報の内の印刷する頁を指定する頁設定手段と、
前記印刷手段で印刷する画像情報の印刷設定値を設定する設定手段と、
前記頁設定手段で設定された前記頁を印刷する試し印刷を指示する試し印刷指示手段と、
前記記憶手段に格納された前記複数頁の画像情報に対応する画像を、前記印刷手段によって記録媒体に印刷させる印刷指示手段と、
前記試し印刷指示手段が操作された場合には、前記設定手段で設定された印刷設定値に基いて、前記頁設定手段で設定された前記頁の画像情報に対応する画像を、前記印刷手段で記録媒体に印刷させ、且つ、前記設定手段で印刷設定値を再度設定可能に制御し、前記印刷指示手段が操作された場合には、前記設定手段で設定された印刷設定値に基いて、前記複数頁の画像情報について前記設定手段で設定され前記記録媒体に印刷された前記頁の画像情報を含めた全頁に対応する画像を記録媒体に印刷させる制御手段と、
を備える画像形成装置。
【請求項２】
試し印刷モード、印刷の設定値、試し印刷ボタンを操作する操作手段をさらに有しており、
前記制御手段は、前記操作手段により前記試し印刷モードが選択されると、ユーザＩＤ、パスワード、試し印刷を行いたい画像情報の識別番号を前記操作手段で受け付け、前記ユーザＩＤおよびパスワードが正しいと判断され、前記画像情報の識別番号に対応する画像情報が前記記憶手段にあればこれを取得し、
前記操作手段により前記試し印刷ボタンが押されれば、前記記憶手段に格納されている初期値または前記操作手段から与えられる頁情報に応じて前記複数頁の画像情報の一部を前記印刷手段により試し印刷を行うことを特徴とする請求項１記載の画像形成装置。
【請求項３】
前記受信手段は、前記複数頁の画像情報とともに印刷初期値を受信し、
前記制御手段は、前記設定手段により前記印刷設定値が設定されない場合には、前記印刷初期値に基いて画像を記録媒体に印刷させる請求項１に記載の画像形成装置。
【請求項４】
前記設定手段で前記印刷設定値が設定された場合に、前記外部装置へ前記通信回線を介して、この印刷設定値を送信する送信手段を更に有する請求項１に記載の画像形成装置。
【請求項５】
前記設定手段で設定する印刷設定値は、少なくとも画像の印刷濃度、彩度のいずれかを含む請求項１に記載の画像形成装置。
【請求項６】
前記設定手段で設定する印刷設定値は、少なくともシアン、マゼンダ、イエローのカラー濃度を設定するカラーバランスを含む請求項１に記載の画像形成装置。
【請求項７】
画像情報を格納する記憶手段と、
記録媒体上に前記画像情報の画像を印刷する印刷手段と、
外部装置から通信回線を介して、複数頁の画像情報と、前記複数頁の画像情報の内の指定された頁の情報と、前記指定された頁の印刷を先に行うことを要求する試し印刷要求信号とを含むジョブデータを受信する受信手段と、
前記試し印刷要求信号を含む前記ジョブデータを受信すると、前記指定された頁の画像情報に対応する画像を前記印刷手段で記録媒体に印刷させるとともに、受信した前記複数頁の画像情報全てを前記記憶手段へ格納する第1制御手段と、
前記第1制御手段により前記指定された頁に対応する画像が印刷された後、前記印刷手段で印刷する画像情報の印刷設定値を設定する設定手段と、
前記設定手段で設定された印刷設定値に基いて、前記複数頁の画像情報の内の一部の頁を印刷する試し印刷を指示する試し印刷指示手段と、
前記記憶手段に格納された前記複数頁の画像情報に対応する画像を、前記印刷手段によって記録媒体に印刷させる印刷指示手段と、
前記第1制御手段により前記指定された頁に対応する画像が印刷された後、前記試し印刷指示手段が操作された場合には、前記設定手段で設定された印刷設定値に基いて、前記一部の頁の画像情報に対応する画像を、前記印刷手段で記録媒体に印刷させ、且つ、前記設定手段で印刷設定値を再度設定可能に制御し、前記印刷指示手段が操作された場合には、前記設定手段で設定された印刷設定値に基いて、前記複数頁の画像情報について前記設定手段で設定され前記記録媒体に印刷された前記頁の画像情報を含めた全頁に対応する画像を記録媒体に印刷させる第２制御手段と、
を備える画像形成装置。
【請求項８】
試し印刷モード、印刷の設定値、試し印刷ボタンを操作する操作手段をさらに有しており、
前記第１制御手段は、前記操作手段により前記試し印刷モードが選択されると、ユーザＩＤ、パスワード、試し印刷を行いたい画像情報の識別番号を前記操作手段で受け付け、前記ユーザＩＤおよびパスワードが正しいと判断され、前記画像情報の識別番号に対応する画像情報が前記記憶手段にあればこれを取得し、
前記操作手段により前記試し印刷ボタンが押されれば、前記記憶手段に格納されている初期値または前記操作手段から与えられる頁情報に応じて前記複数頁の画像情報の一部を前記印刷手段により試し印刷を行うことを特徴とする請求項７記載の画像形成装置。
【請求項９】
前記設定手段は、前記記憶手段に格納された前記複数頁の画像情報の内の印刷する頁を指定する請求項７に記載の画像形成装置。
【請求項１０】
前記受信手段は、前記複数頁の画像情報とともに印刷初期値を受信し、
前記制御手段は、前記設定手段により前記印刷設定値が設定されない場合には、前記印刷初期値に基いて、画像を記録媒体に印刷させる請求項７に記載の画像形成装置。
【請求項１１】
前記設定手段で前記印刷設定値が設定された場合に、前記外部装置へ前記通信回線を介して、この印刷設定値を送信する送信手段を更に有する請求項７に記載の画像形成装置。
【請求項１２】
前記設定手段で設定する印刷設定値は、少なくとも画像の印刷濃度、彩度のいずれかを含む請求項７に記載の画像形成装置。
【請求項１３】
前記設定手段で設定する印刷設定値は、少なくともシアン、マゼンダ、イエローのカラー濃度を設定するカラーバランスを含む請求項７に記載の画像形成装置。
【請求項１４】
記録媒体上に画像を印刷する印刷手段と、複数頁の画像情報の内の指定された頁を印刷する試し印刷を指示する試し印刷指示手段、および前記複数頁の画像情報の全頁の印刷を指示する印刷指示手段とを備える画像形成装置の画像形成方法であって、
外部装置から通信回線を介して、複数頁の画像情報と、前記複数頁の画像情報の全ての印刷を直ぐには行わずに前記複数頁の画像情報の内の一部の頁の印刷を先に行う試し印刷要求信号とを含むジョブデータを受信するステップと、
前記試し印刷要求信号を含むジョブデータを受信すると、前記複数頁の画像情報を記憶手段に格納するステップと、
前記記憶手段に格納された前記複数頁の画像情報の内の印刷する頁を指定するステップと、
前記印刷手段で印刷する画像情報の印刷設定値を設定する画面を表示するステップと、
前記試し印刷指示手段が操作された場合に、設定された前記印刷設定値に基いて、前記指定された頁の画像情報に対応する画像を、前記印刷手段で記録媒体に印刷させるステップと、
前記指定された頁の画像が印刷された後、印刷設定値を設定する前記画面を再度表示するステップと、
前記印刷指示手段が操作された場合に、設定された前記印刷設定値に基いて、前記複数頁の画像情報について前記設定手段で設定され前記記録媒体に印刷された前記頁の画像情報を含めた全頁に対応する画像を記録媒体に印刷させるステップと、
を備える画像形成方法。
【請求項１５】
前記画像形成装置は、試し印刷モード、印刷の設定値、試し印刷ボタンを操作する操作手段をさらに有しており、
前記操作手段により前記試し印刷モードが選択されると、ユーザＩＤ、パスワード、試し印刷を行いたい画像情報の識別番号を前記操作手段で受け付け、前記ユーザＩＤおよびパスワードが正しいと判断され、前記画像情報の識別番号に対応する画像情報が前記記憶手段にあればこれを取得し、
前記操作手段により前記試し印刷ボタンが押されれば、前記記憶手段に格納されている初期値または前記操作手段から与えられる頁情報に応じて前記複数頁の画像情報の一部を前記印刷手段により試し印刷を行うステップをさらに有することを特徴とする請求項１４記載の画像形成方法。
【請求項１６】
記録媒体上に画像を印刷する印刷手段と、複数頁の画像情報の内の指定された頁を印刷する試し印刷を指示する試し印刷指示手段、および前記複数頁の画像情報の全頁の印刷を指示する印刷指示手段とを備える画像形成装置の画像形成方法であって、
外部装置から通信回線を介して、複数頁の画像情報と、前記複数頁の画像情報の内の指定された頁の情報と、前記指定された頁の印刷を先に行うことを要求する試し印刷要求信号とを含むジョブデータ受信すると、前記指定された頁の画像情報に対応する画像を、前記印刷手段で記録媒体に印刷させるとともに、受信した前記複数頁の画像情報全てを記憶手段へ格納するステップと、
前記指定された頁に対応する画像が印刷された後、前記印刷手段で印刷する画像情報の印刷設定値を設定する画面を表示するステップと、
前記試し印刷指示手段が操作された場合に、設定された前記印刷設定値に基いて、前記指定された頁の画像情報に対応する画像を、前記印刷手段で記録媒体に印刷させるステップと、
前記指定された頁の画像が印刷された後、印刷設定値を設定する前記画面を再度表示するステップと、
前記印刷指示手段が操作された場合に、設定された前記印刷設定値に基いて、前記複数頁の画像情報について前記設定手段で設定され前記記録媒体に印刷された前記頁の画像情報を含めた全頁に対応する画像を記録媒体に印刷させるステップと、
を備える画像形成方法。
【請求項１７】
前記画像形成装置は、試し印刷モード、印刷の設定値、試し印刷ボタンを操作する操作手段をさらに有しており、
前記操作手段により前記試し印刷モードが選択されると、ユーザＩＤ、パスワード、試し印刷を行いたい画像情報の識別番号を前記操作手段で受け付け、前記ユーザＩＤおよびパスワードが正しいと判断され、前記画像情報の識別番号に対応する画像情報が前記記憶手段にあればこれを取得し、
前記操作手段により前記試し印刷ボタンが押されれば、前記記憶手段に格納されている初期値または前記操作手段から与えられる頁情報に応じて前記複数頁の画像情報の一部を前記印刷手段により試し印刷を行うステップをさらに有することを特徴とする請求項１６記載の画像形成方法。
【発明の詳細な説明】
【技術分野】
【０００１】
この発明は、たとえばローカルエリアネットワーク（ＬＡＮ：Ｌｏｃａｌ Ａｒｅａ Ｎｅｔｗｏｒｋ）等で、複数のクライアントから印刷を受けつける共有プリンタ、 デジタル複写機等の画像形成装置と画像形成方法に関する。
【背景技術】
【０００２】
オフィスオートメーション機器（ＯＡ機器）は、最近、ＬＡＮに接続され使用されることが多くなってきている。パーソナルコンピュータ（ＰＣ）等もＬＡＮに接続され、情報の交換が行なわれている。また、プリンタもＰＣ毎に接続するのではなく、複数のＰＣで共有して使用されることが多くなってきている。ＰＣが直接ネットワーク上のプリンタに印刷したい情報を受けわたし、プリンタはその情報を受け取って印刷を行う。又は、ネットワーク上にサーバと呼ばれるＰＣを設けてプリンタへの印刷情報を制御することも行なわれている。
【０００３】
サーバは、複数のＰＣから印刷情報を受け取ると、それをキューに入れて、先に入ってきた情報から順に印刷していく。いわゆるファーストインファーストアウトの処理を行なっている。
このように複数の印刷情報をキューに入れて処理し、特定の印刷情報の設定を変更することが特許文献１（特開平１０−１１２３４号公報）に示されている。
【０００４】
ＬＡＮを介してプリンタとＰＣとが接続されることによって、複数台のＰＣからの印刷情報を１台のプリンタで受け取る。そして、複数のユーザによって１台のプリンタが共有される。さらに、ＬＡＮを介して接続されることによって、ＰＣ及びプリンタの設置場所の自由度が大きくなる。ユーザの机上にＰＣを設置し、プリンタをユーザが希望する位置に設置できる。
【０００５】
しかしながら、複数のＰＣに対し、１台又は数台のプリンタを設置することで、プリンタのすぐ近くに自分のＰＣを設置できる者もいるが、なかには自分が使用しているＰＣから距離が離れたところにプリンタが設置されることもある。このような自分のＰＣとプリンタとが離れた場合には、印刷された用紙をプリンタのところまで取りに行く必要がある。
【０００６】
そして、印刷された用紙が自分の希望するような印刷結果でなく再印刷する場合、再度自分が使用しているＰＣのところまで戻り、再設定を行なって再印刷を実行し、プリンタまで再度用紙を取りに行く必要がある。このような自分の希望する結果でない印刷が発生する例としては、ワードプロセッサソフトで文書を作成し、その途中の頁に網かけの文字を入れた場合で、網かけの文字が予想していたよりも濃くでてしまったり、うすくでてしまったりする場合等である。
【０００７】
このように、プリンタとＰＣとの距離が離れてしまった場合に、印刷の設定がうまくあわず、自分の希望している印刷とは異なる印刷結果の用紙を受けとってしまった場合、再度自分のＰＣで印刷の設定をしなおす必要があり、スムーズに自分の希望する印刷結果の用紙を受けとれないという問題があった。
【０００８】
【特許文献１】特開平１０−１１２３４号公報
【発明の開示】
【発明が解決しようとする課題】
【０００９】
上記したように、複数のＰＣに対し、１台又は数台のプリンタを設置した場合において、自分のＰＣとプリンタとが離れている場合には印刷された用紙をプリンタのところまで取りに行く必要があり、印刷の設定がうまくあわず自分の希望している印刷とは異なる印刷結果の用紙を受けとってしまった場合、再度自分のＰＣで印刷の設定をしなおす必要があり、スムーズに自分の希望する印刷結果の用紙を受けとれないという問題があった。
【００１０】
そこで、この発明は、複数のパーソナルコンピュータに対して１台又は数台のプリンタを接続した場合に希望する印刷結果を容易に受け取ることのできる画像形成装置と画像形成方法を提供することを目的とする。
【課題を解決するための手段】
【００１１】
課題を解決するための一実施形態は、
記録媒体上に画像を印刷する印刷手段と、
外部装置から通信回線を介して、複数頁の画像情報と、前記複数頁の画像情報の全ての印刷を直ぐには行わずに前記複数頁の画像情報の内の一部の頁の印刷を先に行う試し印刷要求信号とを含むジョブデータを受信する受信手段と、
前記試し印刷要求信号を含む前記ジョブデータを受信すると、前記複数頁の画像情報を格納する記憶手段と、
前記記憶手段に格納された前記複数頁の画像情報の内の印刷する頁を指定する頁設定手段と、
前記印刷手段で印刷する画像情報の印刷設定値を設定する設定手段と、
前記頁設定手段で設定された前記頁を印刷する試し印刷を指示する試し印刷指示手段と、
前記記憶手段に格納された前記複数頁の画像情報に対応する画像を、前記印刷手段によって記録媒体に印刷させる印刷指示手段と、
前記試し印刷指示手段が操作された場合には、前記設定手段で設定された印刷設定値に基いて、前記頁設定手段で設定された前記頁の画像情報に対応する画像を、前記印刷手段で記録媒体に印刷させ、且つ、前記設定手段で印刷設定値を再度設定可能に制御し、前記印刷指示手段が操作された場合には、前記設定手段で設定された印刷設定値に基いて、前記複数頁の画像情報について前記設定手段で設定され前記記録媒体に印刷された前記頁の画像情報を含めた全頁に対応する画像を記録媒体に印刷させる制御手段と、
を備える画像形成装置である。
【発明の効果】
【００１９】
複数のパーソナルコンピュータに対して１台又は数台のプリンタを接続した場合に希望する印刷結果を容易に受け取ることのできる画像形成装置及び画像形成方法を提供することができる。
【発明を実施するための最良の形態】
【００２０】
以下、この発明の実施の形態について図面を参照して詳細に説明する。
図１は、この発明の印刷システムにおける印刷装置として用いたデジタル複写機（デジタルＰＰＣ）１と複数のパーソナルコンピュータ（ＰＣ）２及びパーソナルコンピュータ（ＰＣ）３とがローカルエリアネットワーク（ＬＡＮ）４を介して接続された構成を示すものである。ＰＣ２及び３は、一般的なパーソナルコンピュータで、デジタル複写機１に印刷情報をＬＡＮ４を介して送信する。デジタル複写機１は、ＰＣ２及び３からの印刷情報を受け取って印刷を行なう。
【００２１】
なお、ＰＣ２は表示部２ａとキーボード３ａを有し、ＰＣ３は表示部３ａとキーボード３ａを有している。
まず、第１実施例について説明する。
図２は、第１実施例に係るデジタル複写機１の概略構成を示すものである。デジタル複写機１は、一般的な複写機として使用する場合、スキャナ部１１で読み取られた画像信号をプリンタ部１２に送って印刷する。スキャナ部１１は、このため図示しないＣＣＤセンサが設けられ、原稿を走査して光を電気信号に変換する。プリンタ部１２は、電子写真方式を用いた印刷を行なう装置である。このためプリンタ部１２は、画像の電気信号を受けとると、それを像として用紙に印刷を行なう。このプリンタ部１２は、電子写真方式以外にもインクジェット方式としても良い。
【００２２】
デジタル複写機１は、その動作の制御を司るＣＰＵ（ｃｏｎｔｒｏｌ ｐｒｏｃｅｓｓｉｎｇ ｕｎｉｔ）１３、動作のソフトウェアが格納されているＲＯＭ（ｒｅａｄ ｏｎｌｙ ｍｅｍｏｒｙ）１４、画像データやその他動作上のデータが一時格納されるＲＡＭ（ｒａｎｄｏｍ ａｃｃｅｓｓ ｍｅｍｏｒｙ）１５、各種データが格納されるハードディスク装置（ＨＤＤ）１６、ＬＡＮ４との信号の送受を行なうネットワークインターフェース（Ｉ／Ｆ）１７、プリンタ部１２との信号の受けわたしを行なうプリンタ部インターフェース（Ｉ／Ｆ）１８、インターフェース１８に接続されたプリンタ部１２、スキャナ部１１との信号の受けわたしを行うスキャナ部インターフェース（Ｉ／Ｆ）１９、インターフェース１９に接続されたスキャナ部１１、デジタル複写機１の動作の指示を表示し指示を受けつけるコントロールパネル２０、コントロールパネル２０との信号の受けわたしを行うコントロールパネルインターフェース（Ｉ／Ｆ）２１、印刷された用紙をビンに区分したりステイプル処理を行うソータ２２、このソータ２２を制御するソータ制御部２３、ソータ制御部２３との信号の受けわたしを行うソータ制御部インターフェース（Ｉ／Ｆ）２４とから構成されている。
【００２３】
なお、詳しくは後述するがコントロールパネル２０の一部分には、液晶パネルの上にタッチパネルを付けて、表示と入力とを行なう表示入力部２０ａが設けられている。
そして、ＣＰＵ１３は、バス２５を介してＲＡＭ１５、ＲＯＭ１４、ＨＤＤ１６、ネットワークインターフェース１７、プリンタ部インターフェース１８、スキャナ部インターフェース１９、コントロールパネルインタフェース２１及びソータ制御部インターフェース２４に接続されている。必要な信号がバス２５を介してそれぞれのユニット間で受けわたされる。
【００２４】
図３は、ＬＡＮ４上のＰＣ２からデジタル複写機１に印刷要求を出し、その時にＰＣ２からデジタル複写機１に送られる情報の構成を示すものである。この情報は、ユーザＩＤフィールド３１、ジョブ番号フィールド３２、ドキュメント名フィールド３３、試し印刷モードフィールド３４、試し先行モードフィールド３５、頁フィールド３６、初期値フィールド３７、印刷データフィールド３８から構成されている。
【００２５】
通常ＰＣ２を使用する場合には、ログインを行ない、このＰＣ２を使用するユーザを特定する。この特定されたユーザ情報に基づいてユーザＩＤフィールド３１には、この印刷を依頼するユーザのユーザＩＤが格納される。また、同じＰＣ２から複数回の印刷依頼を送った場合にはこれを管理する必要がある。このため、シリアルな番号のジョブ番号を依頼毎に付与して複数の印刷依頼を管理する。この１つの印刷依頼を、以下「１ジョブ」と記述する。このシリアルな番号をジョブ番号フィールド３２に格納して信号を送る。
【００２６】
ドキュメント名フィールド３３には、ＰＣ２上で作業した印刷を依頼するソフトウェアが独自にジョブに名前を付与する。この名前は、その後ソフトウェアに依存した名前となる。
本願の発明のポイントとなるフィールドが、試し印刷モードフィールド３４、試し先行モードフィールド３５、頁フィールド３６である。
【００２７】
試し印刷モードフィールド３４には、「通常」又は「試し」の２つのいづれかの値が入る。この「通常」とは通常印刷を指定していることを示し、この「通常」となっているジョブでは、今までのプリンタと同様に印刷される。この試し印刷モードフィールド３４に「試し」が設定されている場合は、試し印刷が行なわれる。試し印刷では、そのジョブがＨＤＤ１６の印刷キュー１６ａに入れられて試し印刷が行なわれる。
【００２８】
試し先行モードフィールド３５には、「ノーマル」、「先行」、及び「先行表示」の値が入れられる。これらは、試し印刷の内のモードの種類である。頁フィールド３６には、試し印刷モードフィールド３４が「試し」で試し先行モードフィールド３５が「先行」及び「先行表示」のとき、試し印刷を行なう頁がＨＤＤ１６の印刷キュー１６ａに格納される。なお、試し印刷モードフィールド３４が「通常」のときには、試し先行モードフィールド３５及び頁フィールド３６の値は無視される。また、試し印刷モードフィールド３４が「試し」でかつ、試し先行モードフィールド３５が「ノーマル」の場合には、頁フィールド３６の値は無視される。
【００２９】
ここで、通常印刷以外の試し印刷のモードについて整理する。
試し印刷のモードには以下の３つのモードがある。
（１）試し印刷のノーマルモード。
（２）試し印刷の先行印刷モード。
（３）試し印刷の先行印刷表示モード。
それぞれについて簡単に説明する。
【００３０】
（１）試し印刷のノーマルモードでは、ユーザがＰＣ２からこのモードを設定して印刷実行を行なうと、図３に示したデータがデジタル複写機１に送られる。そして、ＨＤＤ１６の印刷キュー１６ａに入れられる。ここでは、印刷キュー１６ａに入れられるのみですぐには印刷は行なわれない。そのユーザがデジタル複写機１の前まで行き、デジタル複写機１のコントロールパネル２０を操作することにより試し印刷を行いたい頁が指定され、試し印刷が行なわれる。
【００３１】
ここでユーザは、試し印刷された用紙を直接目でみて、濃度やその他の設定が自分の希望した通り印刷されたか否かを確認する。もし、試し印刷の用紙を見て自分の希望した通りに印刷されていない場合には、コントロールパネル２０から各種の設定を行なって何度でも試し印刷を行ない、自分の希望する設定値を決めてから実際の印刷を行う。
【００３２】
（２）試し印刷の先行モードでは、ユーザがＰＣ２からこのモードを設定し、試し印刷を行う頁を指定して印刷実行を行なうと、図３に示したデータがデジタル複写機１に送られる。そして、ＨＤＤ１６の印刷キュー１６ａに入れられる。そして、印刷キュー１６ａの内でそのジョブが印刷に割り当てられたときに、試し印刷で指定された頁を印刷する。このようにすることによって、ユーザがＰＣ２からデジタル複写機１の前に移動している間にジョブの処理が行なわれ、試し印刷の用紙をすぐに見ることができる。そして、ユーザがデジタル複写機１の前まで行き、（１）の試し印刷のノーマルモードと同様に、自分の希望する設定を行って試し印刷を行い、最終的には自分の希望する設定値を決めてから実際の印刷を行なう。
【００３３】
（３）試し印刷の先行印刷表示モードは、（２）の試し印刷の先行モードではユーザがＰＣ２から印刷実行を行ってデジタル複写機１の前まで移動する間に試し印刷の頁が印刷されるが、このとき他の印刷用紙等とこの試し印刷の用紙を区別するように印刷された用紙のヘッダ部に試し印刷を示す文言やマークを入れるモードである。この試し印刷用紙の例を図４に示す。これは、ヘッダ部に限らず用紙６のどこかに、試し印刷を示す印（文でも可）７を入れる。このとき、試し印刷を示す印７に、ユーザＩＤやユーザ名、ジョブ番号、ドキュメント名等を入れると、よりどのジョブでの試し印刷か判明しやすい。
【００３４】
次に、印刷ジョブの管理及び処理について詳細に説明する。
ＰＣ２からの図３に示す情報を含む印刷の要求がデジタル複写機１が受けとると、デジタル複写機１はＨＤＤ１６の印刷キュー１６ａにその情報を入れる。この印刷キュー１６ａにおけるキュー管理テーブル４１の一例を図５に示す。このキュー管理テーブル４１は、上述したようにデジタル複写機１のＨＤＤ１６の印刷キュー１６ａに格納される。なお、テーブルが小さくかつメモリを多く搭載すればＲＡＭ１５上に持つことも可能である。
【００３５】
図５に示すキュー管理テーブル４１は、キュー順位フィールド４２、試し印刷モードフィールド４３、試し先行モードフィールド４４、頁フィールド４５、ユーザＩＤフィールド４６、ジョブ番号フィールド４７、ドキュメント名フィールド４８、状態フィールド４９、受付日時フィールド５０及びデータ格納場所へのポインタフィールド５１から構成されている。
【００３６】
デジタル複写機１は図３のデータを受けとると、このキュー管理テーブル４１に追加していく。キュー順位フィールド４２には、そのジョブが実行される順位の番号がシリアルに格納される。この場合、「１」から順に実行される。試し印刷モードフィールド４３には、図３の試し印刷モードフィールド３４の値が格納される。試し先行モードフィールド４４には、最初、図３の試し先行モードフィールド３５の値が格納される。頁フィールド４５には、図３の頁フィールド３６の値が格納される。ユーザＩＤフィールド４６には、図３のユーザＩＤフィールド３１の値が格納される。ジョブ番号フィールド４７には、図３のジョブ番号フィールド３２の値が格納される。
【００３７】
ドキュメント名フィールド４８には、図３のドキュメント名フィールド３３の値が格納される。状態フィールド４９には、そのジョブがどの状態であるかを示す値が格納される。具体的に状態フィールド４９には、「印刷中」又は「待機中」のいづれかが格納される。受付日時フィールド５０には、そのジョブの情報をデジタル複写機が受け取った日時が格納される。データ格納場所へのポインタフィールド５１には、図３で示す初期値フィールド３７の値及び印刷データフィールド３８の値が格納されているファイルへポインタ情報が格納される。
【００３８】
この実施例では、図３で示す初期値フィールド３７の値と印刷データフィールド３８の値とを１つのファイルにし、このファイル名を図５のデータ格納場所へのポインタフィールド５１に格納する。このときのファイルの構造を模式的に図６に示す。このファイル５５は、初期値データ５６及び印刷データ５７とからなる。そしてデジタル複写機１上のＨＤＤ１６に保存されている。
【００３９】
次に、このデジタル複写機１では、先に説明したように試し印刷等のキュー管理テーブル４１上の特定のジョブに対して、コントロールパネル２０から操作を行うことができる。このため、セキュリティを確保するためにユーザＩＤとそのパスワードとを持ち、セキュリティを高めている。
【００４０】
図７は、このパスワードテーブルの一例を示すものである。このパスワードテーブル６０は、ユーザＩＤフィールド６１、ユーザフルネームフィールド６２及びパスワードフィールド６３から構成されている。ユーザＩＤフィールド６１には、ユーザＩＤが格納されている。ユーザフルネームフィールド６２には、その対応したユーザのフルネームが格納されている。パスワードフィールド６３には、パスワードが格納されている。この実施例におけるフルネーム等は、デジタル複写機１のコントロールパネル２０からの入力が難しいため、ＰＣでこのテーブルのファイルを作成し、ＰＣからファイルトランスファープロトコルでこのデジタル複写機１に送られる。そして、このパスワードテーブル６０は、このデジタル複写機１のＨＤＤ１６に格納されている。
【００４１】
次に、このデジタル複写機１の動作について説明する。このデジタル複写機１では、多くのタスクが動作している。そのなかの印刷ルーチンと、試し印刷ルーチンとジョブ削除ルーチンについて詳細に説明する。
図８は、印刷ルーチンを示すものである。まず、キュー管理テーブル４１のうちキュー順位フィールド４２の値が小さいものから１つジョブを取り出してキュー管理テーブル４１の確認作業を行う（ステップ８００）。そのジョブの試し印刷モードフィールド４３を調べる（ステップ８０１）。
【００４２】
ここで、試し印刷モードフィールド４３が「試し」でなく「通常」の場合には、そのジョブのデータ格納場所へのポインタフィールド５１からその印刷データ及び初期値が格納されているファイル名を受け取る（ステップ８０２）。そして、そのファイルから実際に印刷できるようにデータを展開してイメージデータを作成し、デジタル複写機１のＲＡＭ１５上に展開される（ステップ８０３）。このイメージデータは、デジタル複写機１のプリンタ部インターフェース１８を介してプリンタ部１２に送られて用紙に印刷される（ステップ８０４）。そして、このプリンタ部１２において印刷が終了した後、そのジョブの初期値及び印刷データが格納されたファイルが削除され、つづいてキュー管理テーブル４１の該当のジョブが削除される（ステップ８０５）。そして、ステップ８００にもどりキュー管理テーブル４１の次のジョブに処理を移行する。
【００４３】
また、ステップ８０１にて試し印刷モードフィールド４３が「試し」である場合には、前記キュー管理テーブル４１の試し先行モードフィールド４４を調べる（ステップ８０６）。ここで、このフィールドの値が「先行」及び「先行表示」でなく、「ノーマル」の場合にはそのジョブをスキップし（ステップ８０７）、ステップ８００にもどり、キュー管理テーブル４１の次のジョブに処理を移行する。
【００４４】
また、ステップ８０６で試し先行モードフィールド４４の値が「先行」又は「先行表示」の場合には、そのジョブのデータ格納場所へのポインタフィールド５１からその印刷データ及び初期値が格納されているファイル名を受け取る（ステップ８０８）。そのファイルから実際に印刷できるようにデータを展開してイメージデータを作成し（ステップ８０９）、試し先行モードフィールド４４の値を調べる（ステップ８１０）。
【００４５】
この試し先行モードフィールド４４の値が「先行」の場合には、キュー管理テーブル４１の頁フィールド４５の値の頁のみをデジタル複写機１のプリンタ部インターフェース１８を介してプリンタ部１２に送り、先行して試し印刷の頁のみが印刷される（ステップ８１１）。また、ステップ８１０で試し先行モードフィールド４４の値が「先行表示」の場合には、キュー管理テーブル４１の頁フィールド４５の値の頁にＲＡＭ１５上で試し印刷である旨のマークが付加されて、デジタル複写機１のプリンタ部インターフェース１８を介してプリンタ部１２に送り、先行して試し印刷の頁のみが印刷される（ステップ８１２）。
【００４６】
ステップ８１１及びステップ８１２の後、キュー管理テーブル４１のそのジョブの試し先行モードフィールド４４の値「先行」又は「先行表示」を「ノーマル」に変更し（ステップ８１３）、そのジョブをスキップし（ステップ８１４）、ステップ８００にもどりキュー管理テーブル４１の次のジョブに処理を移行する。
【００４７】
図９は、試し印刷ルーチンを示すものである。この試し印刷ルーチンは、デジタル複写機１の前にユーザが来て、そのデジタル複写機１のコントロールパネル２０の表示入力部２０ａから試し印刷モードが選択されたときから、このルーチンが開始される。
まず、このデジタル複写機１のプリンタ部１２で印刷中のジョブがあるか調べる（ステップ９００）。もし、印刷中のジョブがある場合には、そのデータを途中復帰が可能となるように一旦待避する。このとき待避されるものは、設定値、印刷データ及び印刷が実際に終了した頁数が特定のファイルとなってデジタル複写機１のＨＤＤ１６に格納される（ステップ９０１）。
【００４８】
続いてユーザのユーザＩＤの入力をコントロールパネル２０の表示入力部２０ａで受け付ける（ステップ９０２）。続いてユーザのパスワードの入力をコントロールパネル２０の表示入力部２０ａで受け付ける（ステップ９０３）。続いてユーザが試し印刷を行ないたいジョブのジョブ番号の入力をコントロールパネル２０の表示入力部２０ａで受け付ける（ステップ９０４）。そして入力された値が正しいか否かをキュー管理テーブル４１及びパスワードテーブル６０とで調べる（ステップ９０５）。ここで正しくない場合には、デジタル複写機１のコントロールパネル２０の表示入力部２０ａ上に正しくない旨のエラー表示が行なわれる（ステップ９０６）。そして、この処理ルーチンは終了する。
【００４９】
ステップ９０５で入力が正しいと判断された場合には、そのジョブのデータ格納場所へのポインタフィールド５１からその印刷データ及び初期値が格納されているファイル名を受け取る（ステップ９０７）。そして、そのファイルから実際に印刷できるようにデータを展開してイメージデータを作成する（ステップ９０８）。
【００５０】
続いてコントロールパネル２０の表示入力部２０ａから印刷のための設定値の入力を受けつける（ステップ９０９）。この設定値には、モノクロの電子写真方式の印刷を行なう場合には、濃度、ソート、スティプル、スティプル位置、両面印刷及び印刷部数等がある。又、カラーの電子写真方式の印刷を行なう場合には、モノクロの場合に加えて、彩度及びカラーバランス等がある。そしてこのステップ９０９でも試し印刷を行なう頁を指定できる。
【００５１】
そしてコントロールパネル２０の表示入力部２０ａに表示された試し印刷又は印刷ボタンが押されたかが調べられる（ステップ９１０）。コントロールパネル２０の表示入力部２０ａに表示された試し印刷ボタンが押された場合には、ステップ９０９で設定された値に基づいて試し印刷をする頁のイメージデータがデジタル複写機１のプリンタ部インターフェース１８を介してプリンタ部１２に送られ、試し印刷が設定された頁のみ用紙に出力される（ステップ９１１）。試し印刷終了後、ステップ９０９にもどる。このように、各種の設定で試し印刷された用紙を確認し、さらに再設定可能となっている。
【００５２】
そしてステップ９１０においてコントロールパネル２０の表示入力部２０ａに表示された印刷ボタンが押された場合には、設定された値によって全頁のイメージデータがデジタル複写機１のプリンタ部インターフェース１８を介してプリンタ部１２に送られ、印刷出力される（ステップ９１２）。
【００５３】
このプリンタ部１２における印刷が終了した後、そのジョブの初期値及び印刷データが削除され、さらにキュー管理テーブル４１の該当のジョブが削除される（ステップ９１３）。続いて待避データがあるかが調べられ（ステップ９１４）、待避データがある場合には、ステップ９０１で待避されたファイルからデータがもどされ、このルーチンが実行される前に印刷中であったジョブが再開され（ステップ９１５）、試し印刷ルーチンが終了する。
【００５４】
次に、ジョブ削除ルーチンについて図１０に示すフローチャートを用いて説明する。このジョブ削除ルーチンは、デジタル複写機１の前にユーザが来て、そのデジタル複写機１のコントロールパネル２０の表示入力部２０ａからジョブ削除モードが選択されたときから、このルーチンが開始される。
【００５５】
まず、ユーザのユーザＩＤの入力をコントロールパネル２０の表示入力部２０ａで受け付ける（ステップ１００１）。続いてユーザのパスワードの入力をコントロールパネル２０の表示入力部２０ａで受け付ける（ステップ１００２）。その入力された値が正しいか否かをパスワードテーブル６０で調べる（ステップ１００３）。ここで正しくない場合には、デジタル複写機１のコントロールパネル２０の表示入力部２０ａ上に正しくない旨のエラー表示が行なわれ（ステップ１００４）、この処理ルーチンは終了する。
【００５６】
ステップ１００３で入力が正しいと判断された場合には、キュー管理テーブル４１から、そのユーザのジョブの全ての情報を取得し（ステップ１００５）、このジョブ情報を一覧表として、デジタル複写機１のコントロールパネル２０の表示入力部２０ａ上に表示する（ステップ１００６）。そして、ユーザが削除したいジョブの入力がコントロールパネル２０の表示入力部２０ａで受け付けられ（ステップ１００７）、そのジョブの初期値及び印刷データが格納されたファイルが削除され、キュー管理テーブル４１の該当のジョブが削除され（ステップ１００８）、このジョブ削除ルーチンが終了する。
【００５７】
次に操作について操作画面を示して説明する。なお、これから示す操作画面は一例である。
図１１は、ＰＣ２側で試し印刷を設定する表示部２ａの画面表示例を示すものである。
この画面は、ＰＣ２でソフトウェアを使用していて、印刷を実行するときに、プリンタの設定を行なうときに表示される。このため、この画面は、このデジタル複写機１を使用するために、ＰＣ２に組み込まれたデジタル複写機１用のドライバソフトウェアによって表示されている。
【００５８】
これは、１つのウィンドウ１０１に表示されている。このウィンドウ１０１には、試し印刷設定用の試しタブ１０２、濃度を調整するためのタブ１０３及び用紙等を選択するための用紙タブ１０４を持っている。そして、ポインタ１０５をそれぞれのタブに移動させ、マウスをクリックすることによって各タブに合わせた表示を行なう。
【００５９】
図１１に示す表示例のウィンドウ１０１では試しタブ１０２が選択されて、試し印刷を行なう設定が表示されている。この試しタブ１０２による表示エリアには、試し印刷を指示するチェックボタン１０６、試し印刷のノーマルモードを指示するチェックボタン１０７、試し印刷の先行印刷モードを指示するチェックボタン１０８、試し印刷の先行印刷表示モードを指示するチェックボタン１０９、先行印刷を指示した時にその頁を入力するエリア１１０、この印刷しようとする文書の全頁数を表示するエリア１１１、ジョブ番号が表示されるエリア１１２、ＯＫボタン１１３、キャンセルボタン１１４から構成されている。
【００６０】
この文書を試し印刷したいときにポインタ１０５をチェックボタン１０６に持ってきてマウスをクリックし、チェックボタン１０６が反転してチェックされているときに、試し印刷が指示される。ここがチェックされていない場合には、他のチェックボタン１０７、１０８、１０９及びエリア１１０及びジョブ番号エリア１１２は無効であり、チェックすることも入力することもできない。
【００６１】
チェックボタン１０６がチェックされているときに、チェックボタン１０７又はチェックボタン１０８のうちどちらか１つしか選択できない。チェックボタン１０７がチェックされていると試し印刷の先行印刷を行なわない。このチェックボタン１０７がチェックされている場合にはエリア１１０及びチェックボタン１０９への入力をすることができない。
【００６２】
チェックボタン１０８がチェックされていると、試し印刷を先行して行なう。このとき、エリア１１０及びチェックボタン１０９への入力が可能となる。チェックボタン１０８がチェックされているときには、エリア１１０に、先行して試し印刷を行ないたい頁をＰＣ２のキーボード２ａから入力する。このときエリア１１１には、この文書の全頁数が表示されている。この全頁数以内の数を受け付ける。
【００６３】
また、チェックボタン１０８がチェックされている場合に、図４に示すように、先行して印刷する試し印刷を行なう頁に試し印刷表示を行なうかを指示するためチェックボタン１０９へのチェックの選択が行なえる。チェックボタン１０９がチェックされていると図４に示すように試し印刷である旨の表示が行なわれる。チェックボタン１０９がチェックされていないと表示は行なわれない。
【００６４】
またジョブ番号表示エリア１１２には、印刷を受け付ける毎にシリアルな番号を発行し表示する。ここでは、覚えやすい十進数４桁でジョブ番号を使用する。「９９９９」まで使用すると「０００１」にもどる。
ＯＫボタン１１３は、上記各設定での入力設定が終了したらポインタ１０５でクリックする。キャンセルボタン１１４は、上記各設定を無効とするときにポインタ１０５でクリックする。
【００６５】
次に、デジタル複写機１のコントロールパネル２０における表示入力部２０ａの表示例を説明する。
図１２は、表示入力部２０ａの初期状態を示すもので、ＰＰＣ設定モードボタン２０１、試し印刷モードボタン２０２、ジョブ削除モードボタン２０３を持っている。ＰＰＣ設定モードボタン２０１は、このデジタル複写機１を通常の複写機として使用するとき、複写機としての各種設定を行なうときに押される。ジョブ削除モードボタン２０３は、前述のキュー管理テーブル４１上のジョブを削除するときに押される。なお、ＰＰＣ設定モードボタン２０１の動作については、通常の複写機として使用する動作であるので説明を省略する。
【００６６】
次に、試し印刷を行なう場合の表示入力部２０ａの操作画面について説明する。まず、ユーザはＰＣ２またはＰＣ３から試し印刷を指示し、このデジタル複写機１の前まで来て、図１２に示す表示入力部２０ａの試し印刷モードボタン２０２を押す。これによって、表示入力部２０ａは、図１３に示す画面となる。
【００６７】
このときの表示入力部２０ａは、ユーザＩＤ入力エリア２３１、パスワード入力エリア２３２、ジョブ番号入力エリア２３３、文字入力キーエリア２３４、リセットボタン２３５及び入力ボタン２３６から構成される。
まず、ユーザＩＤ入力エリア２３１にユーザＩＤが入力される。入力方法は、文字入力キーエリア２３４の各文字キーを押して入力する。間違えた場合にはリセットボタン２３５を押すことでクリアされる。ユーザＩＤの文字入力後、入力ボタン２３６を押す。すると次にパスワード入力が行なえる。パスワードを入力する。しかし、ここでは、実際の文字は表示されずに「＊」アスタリスク又は「＿」アンダーバーのみが表示される。パスワードの文字入力後、入力ボタン２３６を押す。すると次にジョブ番号の入力が行なえる。ここでは、ＰＣ側で表示されていたジョブ番号を入力する。ジョブ番号の文字入力後、入力ボタン２３６を押す。ここで入力が正しいと次の画面に進み、入力が間違っているとエラー表示が表示され次には進めない。
【００６８】
入力が正しかった場合について、以下に説明する。
図１４は、正しかった場合の表示入力部２０ａの次画面を示すものである。
この画面では、濃度タブ２４１、ソートタブ２４２、両面タブ２４３及び部数タブ２４４を持っている。それぞれのタブが選択されていると、その設定が行なえるよう表示される。図１４では、濃度タブ２４１が選択されている場合である。この図１４での画面は、写真モードボタン２４５、濃度表示スケール２４６、濃くボタン２４７、うすくボタン２４８、テンキーボタンエリア２４９、リセットボタン２５０、試し印刷頁表示エリア２５１、全頁数表示エリア２５２、試し印刷ボタン２５３、印刷ボタン２５４を持っている。
【００６９】
写真モードボタン２４５は、この文書を写真モードで印刷するときに押す。このボタンが選択されているときはボタンの色が反転表示される。
濃度表示スケール２４６では現在の濃度を示している。濃くボタン２４７を押すと濃度が濃くなり、濃度表示スケール２４６のマーク２５５が濃い方へ移動する。うすくボタン２４８を押すと濃度がうすくなり、濃度表示スケール２４６のマーク２５５がうすい方へ移動する。
【００７０】
テンキーボタンエリア２４９は下に表示されている試し印刷頁表示エリア２５１への数字を入力するテンキーボタンである。また、リセットボタン２５０を押すと、試し印刷頁表示エリア２５１の数字をクリアする。
全頁数表示エリア２５２は、この文書の全頁数を表示している。試し印刷ボタン２５３は、このボタンを押すと、設定されている設定値で、試し印刷頁表示エリア２５１に表示されている頁を１頁のみ印刷する。このとき画面は変化がない。
【００７１】
印刷ボタン２５４は、試しではなく文書全体を印刷の実行の開始を指示するボタンである。印刷ボタン２５４を押すと文書全体を設定されている設定値で印刷し、画面も初期の図１２の画面にもどる。
図１５は、タブでソートタブ２４２が選択されている画面を示すものである。この画面は、スティプルボタン２６０、ソートボタン２６１、グループボタン２６２、スティプル位置上部ボタン２６３、スティプル位置中部ボタン２６４、スティプル位置下部ボタン２６５、スティプル位置を模式的に示す図２６６、テンキーボタンエリア２４９、リセットボタン２５０、試し印刷頁表示エリア２５１、全頁数表示エリア２５２、試し印刷ボタン２５３、印刷ボタン２５４を持っている。
【００７２】
スティプルボタン２６０を押すと、印刷後にスティプルで文書をとじる処理を行なう。このボタン２６０が押されていると色が反転表示され、スティプルの位置のボタン２６３、２６４、２６５の入力が可能となる。スティプル位置上部ボタン２６３が押されていると上部をスティプルでとじ、スティプル位置中部ボタン２６４が押されていると中部をスティプルでとじ、スティプル位置下部ボタン２６５が押されていると下部をスティプルでとじる。このスティプル位置のボタン２６３、２６４、２６５は、同時に複数指定できず、一カ所のみの指定となる。選択されている位置をスティプル位置を模式的に示す図２６６で示している。
【００７３】
ソートボタン２６１は、押されていると文書を印刷しソートして出力する。グループボタン２６２は、押されていると文書を印刷しグループ分けして出力する。ソートボタン２６１とグループボタン２６２と同時に選択することはできない。また、テンキーエリア２４９、リセットボタン２５０、試し印刷頁表示エリア２５１、全頁数表示エリア２５２、試し印刷ボタン２５３、印刷ボタン２５４は、図１４において説明したのと同様に動作する。
【００７４】
図１６は、タブで両面タブ２４３が選択されている画面を示すものである。この画面は、両面ボタン２６８、片面ボタン２６９、テンキーエリア２４９、リセットボタン２５０、試し印刷頁表示エリア２５１、全頁数表示エリア２５２、試し印刷ボタン２５３印刷ボタン２５４を持っている。
【００７５】
両面ボタン２６８を押すと、この文書を印刷するときに両面印刷を行う。片面ボタン２６９を押すと、この文書を印刷するときに片面印刷を行う。
また、テンキーエリア２４９、リセットボタン２５０、試し印刷頁表示エリア２５１、全頁数表示エリア２５２、試し印刷ボタン２５３、印刷ボタン２５４は、図１４において説明したのと同様に動作する。
【００７６】
図１７は、タブで部数のタブ２４４が選択されている画面を示すものである。この画面は、印刷部数表示エリア２７０、部数設定ボタン２７１、テンキーエリア２４９、リセットボタン２５０、試し印刷表示エリア２５１、全頁数表示エリア２５２、試し印刷ボタン２５３、印刷ボタン２５４を持っている。
【００７７】
この画面ではこの文書を印刷する部数を設定する。部数設定ボタン２７１を押すとテンキーエリア２４９及びリセットボタン２５０が部数を設定するため使用できる。このとき設定した部数が印刷部数表示エリア２７０に表示される。試し印刷頁設定ボタン２７２を押すと、テンキーエリア２４９及びリセットボタン２５０が試し印刷頁の設定に使用できるようになる。また、この試し印刷頁設定ボタン２７２が押されている場合、テンキーエリア２４９、リセットボタン２５０、試し印刷頁表示エリア２５１、全頁数表示エリア２５２、試し印刷ボタン２５３、印刷ボタン２５４は、図１４において説明したのと同様に動作する。
【００７８】
以上モノクロデジタル複写機の場合について説明してきた。
次に、カラーデジタル複写機の場合について説明する。ここでは、モノクロの場合と異なる部分のみについて説明する。
図１８は、カラーの場合の一例を示すものである。カラーの場合には、ソートタブ２４２、両面タブ２４３、部数タブ２４４、濃度・彩度タブ２８０、カラーバランスタブ２８１を持っている。
【００７９】
図１８の画面は、濃度・彩度タブ２８０が選択された画面を示している。この画面は、濃度スケール２４６、濃くボタン２４７、うすくボタン２４８、彩度スケール２８２、強くボタン２８３、弱くボタン２８４、テンキーエリア２４９、リセットボタン２５０、試し印刷頁表示エリア２５１、全頁数表示エリア２５２、試し印刷ボタン２５３、印刷ボタン２５４を持っている。
【００８０】
ここでは、以前と異なる彩度のみについて説明する。彩度スケール２８２はマーク２８５を持っている。強くボタン２８３を押すと彩度が強くなり、マーク２８５が強い方へ移動する。弱くボタン２８４を押すと彩度が弱くなり、マーク２８５が弱い方へ移動する。
【００８１】
図１９は、カラーバランスタブ２８１が選択されている画面を示すものである。この画面は、シアン濃度スケール２９０、シアン濃くボタン２９１、シアンうすくボタン２９２、マゼンダ濃度スケール２９４、マゼンダ濃くボタン２９５、マゼンダうすくボタン２９６、イエロー濃度スケール２９８、イエロー濃くボタン２９９、イエローうすくボタン３００、ブラック濃度スケール３０２、ブラック濃くボタン３０３、ブラックうすくボタン３０４、テンキーエリア２４９、リセットボタン２５０、試し印刷頁表示エリア２５１、全頁数表示エリア２５２、試しボタン２５３、印刷ボタン２５４を持っている。
【００８２】
シアンの濃度を調整するときには、シアン濃くボタン２９１又はシアンうすくボタン２９２を押す。それに合わせてシアン濃度スケール２９０中のマーク２９３が移動する。マゼンダの濃度を調整するときには、マゼンダ濃くボタン２９５又はマゼンダうすくボタン２９６を押す。それに合わせてマゼンダ濃度スケール２９４中のマーク２９７が移動する。イエローの濃度を調整するときには、イエロー濃くボタン２９９又はイエローうすくボタン３００を押す。それに合わせてイエロー濃度スケール２９８中のマーク３０１が移動する。ブラックの濃度を調整するときには、ブラック濃くボタン３０３又はブラックうすくボタン３０４を押す。それに合わせてブラック濃度スケール３０２中のマーク３０５が移動する。
【００８３】
次に、図１２に示す表示入力部２０ａのジョブ削除モードボタン２０３が押されたときについて説明する。
削除モードボタン２０３が押されると表示入力部２０ａは、図２０に示す画面となる。画面は、ユーザＩＤ入力エリア３２１、パスワード入力エリア３２２、文字入力キーエリア３２３、リセットボタン３２４及び入力ボタン３２５から構成される。
【００８４】
まず、ユーザＩＤ入力エリア３２１に、ユーザＩＤを入力する。入力方法は、文字入力キーエリア３２３の各文字キーを押して入力する。間違えた場合には、リセットボタン３２４を押すことでクリアされる。ユーザＩＤの文字入力後、入力ボタン３２５を押す。すると、パスワード入力が行なえる。パスワードを入力する。しかし、ここでは実際の文字は表示されずに「＊」アスタリスク又は「＿」アンダーバーのみが表示される。パスワードの文字入力後、入力ボタン３２５を押す。ここで入力が正しいと次の画面に進み、入力が間違っているとエラー表示が表示され、次には進めない。
【００８５】
入力が正しかった場合について以下に説明する。
図２１は、正しかった場合の表示入力部２０ａの次画面を示すものである。この画面では、ユーザＢの削除用のリストを表示させた例である。
この画面は、ユーザ名表示エリア３３０、ジョブリスト表示エリア３３１、削除ボタン３３２を持っている。ジョブリスト表示エリア３３１には、キュー管理テーブル４１からユーザＢのジョブのみが選択されリストとして表示される。ユーザは、削除したいジョブ情報にタッチする。そうすると、そのジョブのみ色が反転表示となる。この状態で削除ボタン３３２を押すと、そのジョブが削除される。
【００８６】
次に、第２実施例について説明する。
第２実施例では、図１におけるパーソナルコンピュータ（ＰＣ２、ＰＣ３）から印刷を依頼するときに、そのデータの印刷の諸設定を保存しておき、デジタル複写機１でその諸設定に変更を行なったときに、その変更された諸設定をＰＣ２、またはＰＣ３にもどす例である。このため、同じファイルを再度印刷する場合にも、先に試し印刷で濃度等の設定が変更されていても、そのデジタル複写機１で変更された値で印刷を行なえる。
【００８７】
印刷を依頼するＰＣ２，３側の印刷用のドライバは、データ保存のために、図２２に示すドライバ管理テーブル３４０を持っている。このドライバ管理テーブル３４０は、ＰＣ２，３の図示しないハードディスク上に保存されている。以下、ＰＣ２の場合で説明する。
【００８８】
このドライバ管理テーブル３４０は、パス及びファイル名フィールド３５０、発行日時フィールド３５１、ドキュメント名フィールド３５２、設定値フィールド３５３から構成される。
パス及びファイル名フィールド３５０には、印刷を依頼した原稿内容が保存されているファイルが特定できるように、そのＰＣ２上でのパス及びファイル名が保存されている。発行日時フィールド３５１には、印刷を依頼した日時が保存されている。ドキュメント名フィールド３５２には、ドキュメント名が保存されている。設定値フィールド３５３には、濃度等の設定値が保存される。
【００８９】
また、このドライバ管理テーブル３４０がデータで満たされた場合には、発行日時フィールド３５１の古いデータから捨てられ、新しいデータが格納される。
これによって、ＰＣ２上のドライバはデジタル複写機１への印刷依頼時のデータを保存している。
【００９０】
図２３は、デジタル複写機１上のキュー管理テーブル４００を示すものである。キュー管理テーブル４００は、キュー順位フィールド３５４、試し印刷モードフィールド３５５、試し先行モードフィールド３５６、頁フィールド３５７、ユーザＩＤフィールド３５８、ジョブ番号フィールド３５９、ドキュメント名フィールド３６０、状態フィールド３６１、受付日時フィールド３６２、ＰＣアドレスフィールド３６３、データ格納場所へのポインタフィールド３６４から構成されている。なお、デジタル複写機１上のキュー管理テーブル４００は、例えばハードディスクに格納される。
【００９１】
ここでは、第１実施例で説明したキュー管理テーブル４１にはない新たなＰＣアドレスフィールド３６３について説明し、他の項目は第１実施例と同じであるので説明を省略する。
このＰＣアドレスフィールド３６３には、この印刷のジョブを送ってきたＰＣのアドレスが格納されている。通常ＬＡＮ上のパケットでは、ヘッダに送信元と送信先のアドレスがデータのヘッダ部分に含まれている。このため、このヘッダから送信元のＰＣアドレスを得て格納する。
【００９２】
そして、図９に示すフローチャートにおけるステップ９０９で各種の設定が変更される。この場合には、ステップ９１２における印刷後にキュー管理テーブル４００から、そのジョブを送信してきたＰＣのアドレスを得る。そして、そのＰＣに対して設定値の情報を送信する。ＰＣのドライバは、デジタル複写機１からの設定値の情報を受けとると、その情報をドライバ管理テーブル３４０の設定値フィールド３５３に上書き保存する。
【００９３】
これによって、デジタル複写機１の試し印刷時に設定を変更した場合にも、ドライバのその対応したファイルの設定値が変更される。このため、再度そのファイルを印刷したい場合にも、一度、デジタル複写機１で設定した値で再印刷できる。
以上説明したように上記発明の実施の形態によれば、ユーザの希望する印刷結果をＬＡＮで接続されたプリンタやデジタル複写機で容易に受け取ることができる。
【００９４】
以上詳述したようにこの発明によれば、複数のパーソナルコンピュータに対して１台又は数台のプリンタを接続した場合に希望する印刷結果を容易に受け取ることのできる画像形成装置及び画像形成方法を提供することができる。
【図面の簡単な説明】
【００９５】
【図１】本発明に係るデジタル複写機を用いた印刷システムの概略構成を示す図。
【図２】デジタル複写機の概略構成を示す図。
【図３】パーソナルコンピュータからデジタル複写機へ送るデータ例を示す図。
【図４】試し印刷を行なった用紙例を示す図。
【図５】デジタル複写機のキュー管理テーブルの構成例を示す図。
【図６】印刷データの構成例を示す図。
【図７】ユーザを管理しているユーザ管理テーブルの構成例を示す図。
【図８】デジタル複写機における通常のプリンタ処理を説明するためのフローチャート。
【図９】デジタル複写機における試し印刷を説明するためのフローチャート。
【図１０】デジタル複写機におけるジョブ削除を説明するためのフローチャート。
【図１１】パーソナルコンピュータ上のウインドウ表示例を示す図。
【図１２】デジタル複写機のコントロールパネルにおける入力表示部の表示例を示す図。
【図１３】デジタル複写機のコントロールパネルにおける入力表示部の表示例を示す図。
【図１４】デジタル複写機のコントロールパネルにおける入力表示部の表示例を示す図。
【図１５】デジタル複写機のコントロールパネルにおける入力表示部の表示例を示す図。
【図１６】デジタル複写機のコントロールパネルにおける入力表示部の表示例を示す図。
【図１７】デジタル複写機のコントロールパネルにおける入力表示部の表示例を示す図。
【図１８】デジタル複写機のコントロールパネルにおける入力表示部の表示例を示す図。
【図１９】デジタル複写機のコントロールパネルにおける入力表示部の表示例を示す図。
【図２０】デジタル複写機のコントロールパネルにおける入力表示部の表示例を示す図。
【図２１】デジタル複写機のコントロールパネルにおける入力表示部の表示例を示す図。
【図２２】パーソナルコンピュータにおけるドライバ管理テーブルの構成例を示す図。
【図２３】デジタル複写機におけるキュー管理テーブルの構成例を示す図。
【符号の説明】
【００９６】
１…デジタル複写機
２，３…パーソナルコンピュータ（ＰＣ）
４…ローカルエリアネットワーク（ＬＡＮ）
１１…スキャナ部
１２…プリンタ部
１３…ＣＰＵ
１４…ＲＯＭ
１５…ＲＡＭ
１６…ハードディスク装置（ＨＤＤ）
１７…ネットワークインターフェース
２０…コントロールパネル
２５…バス
【図１】
0004700724.tif 000002
【図２】
0004700724.tif 000003
【図３】
0004700724.tif 000004
【図４】
0004700724.tif 000005
【図５】
0004700724.tif 000006
【図６】
0004700724.tif 000007
【図７】
0004700724.tif 000008
【図８】
0004700724.tif 000009
【図９】
0004700724.tif 000010
【図１０】
0004700724.tif 000011
【図１１】
0004700724.tif 000012
【図１２】
0004700724.tif 000013
【図１３】
0004700724.tif 000014
【図１４】
0004700724.tif 000015
【図１５】
0004700724.tif 000016
【図１６】
0004700724.tif 000017
【図１７】
0004700724.tif 000018
【図１８】
0004700724.tif 000019
【図１９】
0004700724.tif 000020
【図２０】
0004700724.tif 000021
【図２１】
0004700724.tif 000022
【図２２】
0004700724.tif 000023
【図２３】
0004700724.tif 000024